(57)【特許請求の範囲】
【請求項１】
複数のデッキ材を備えたデッキおよび建物の壁面の間に形成される目地を覆う目地カバーであって、
前記デッキ材の前記壁面側の端部上面に固定されるとともに、合成樹脂で形成された固定部と、
前記固定部での前記壁面から離間した側の端縁に一体に設けられて前記目地を覆うとともに、前記固定部よりも軟質な合成樹脂で形成された覆い片と、
前記覆い片に一体に設けられるとともに、前記固定部に対して係脱自在とされた開閉部とを備える
ことを特徴とする目地カバー。
【請求項２】
前記固定部および前記開閉部の一方には、他方に向けて開口した係合凹部が設けられ、
前記固定部および前記開閉部の他方には、前記係合凹部内に挿入される係合片部が設けられ、
前記固定部および前記開閉部は、前記係合凹部および前記係合片部により係脱自在に設けられる
ことを特徴とする請求項１に記載の目地カバー。
【請求項３】
前記開閉部の前記壁面から離間した側の端縁は、所定の曲げ半径を有して前記固定部側に折曲したコーナー部になっている
ことを特徴とする請求項１または請求項２に記載の目地カバー。
【請求項４】
前記固定部には、その長手方向に沿って金属製の補強部材が取り付けられる
ことを特徴とする請求項１ないし請求項３のいずれか一項に記載の目地カバー。
【請求項５】
前記補強部材は、前記固定部に取り付けられる平坦な取付部と、前記取付部の幅方向の両側から上向きに突設された一対の支持片とを備えた断面凹状である
ことを特徴とする請求項４に記載の目地カバー。
【発明の詳細な説明】
【技術分野】
【０００１】
本発明は、目地カバーに係り、例えば、デッキやバルコニーの端部と建物の壁面との間に形成される目地を塞ぐ目地カバーに関する。
【背景技術】
【０００２】
従来、掃き出し窓等の室外側にデッキを設置することがあり、デッキの端部と建物の壁面との間には目地が形成される。デッキ面は、合成樹脂製の押出形材からなる複数のデッキ材で構成され、これらのデッキ材が壁面に対して平行で、かつ該壁面から離間する側に向けて並設される場合では（横並びタイプ）、デッキ材の長手方向に沿った端縁に舌片が設けられ、舌片の先端部分が建物の壁面に接触することで、デッキと壁面との間の目地が塞がれる。この際に舌片は、押出成形時にデッキ材の他の部分と一体に同時成形される。また、特に舌片の先端部分は、二色成形等によって他の部分より軟質の材料で成形され、その弾性を利用して壁面に良好に密着するようになっている（例えば、特許文献１）。
【０００３】
一方、デッキ材をその長手方向が壁面から離間する側に向かうように、壁面に対して直交する方向で、かつ該壁面に沿って複数並設することもある（縦並びタイプ）。この場合では、それぞれのデッキ材の（小口）端部と壁面との間に目地が形成される。デッキ材が押出形材であると、押出方向の関係から、目地に臨む端部のみに特許文献１のような舌片を設けることができないため、デッキ全体にわたる連続した目地を塞ぐためには、デッキ材とは別体の長尺な目地カバーを用いることになる。
【０００４】
そのような目地カバーは、目地の上部を覆う閉塞部と、閉塞部から垂設されて目地内に挿入される挿入部と、挿入部の上下方向の途中から水平に延出して壁面やデッキ材の端面に接触するヒレ部等を備え、目地に対して上方から嵌め込まれる。
【先行技術文献】
【特許文献】
【０００５】
【特許文献１】実開平４−２４９３１号公報
【発明の概要】
【発明が解決しようとする課題】
【０００６】
ところで、合成樹脂製のデッキ材では、昼夜を通しての日光の直射量の変化により、熱伸縮が生じる。デッキ材の熱伸縮が目地寸法に与える影響は、横並びタイプのデッキよりも縦並びタイプのデッキの方が大きい。デッキ材の熱伸縮は、その長手方向において顕著に生じるからである。従って、縦並びタイプのデッキでは、デッキ材の熱収縮により、目地の間隔が想定以上に広がってしまうことがあり、目地に嵌め込まれたカバー材が下方に脱落するという問題が生じる。
反対に、デッキ材の熱伸長時には、目地にはめ込まれたカバー材がその熱伸長を邪魔してしまい、デッキ材の伸びを吸収できずに不具合が生じる可能性がある。
【０００７】
本発明の目的は、デッキ材の熱収縮による脱落を防止できるとともに、デッキ材の熱伸長を確実に吸収できる目地カバーを提供することにある。
【課題を解決するための手段】
【０００８】
本発明の目地カバーは、複数のデッキ材を備えたデッキおよび建物の壁面の間に形成される目地を覆う目地カバーであって、前記デッキ材の前記壁面側の端部上面に固定されるとともに、合成樹脂で形成された固定部と、前記固定部での前記壁面から離間した側の端縁に一体に設けられて前記目地を覆うとともに、前記固定部よりも軟質な合成樹脂で形成された覆い片と、前記覆い片に一体に設けられるとともに、前記固定部に対して係脱自在とされた開閉部とを備える。
【０００９】
本発明によれば、目地カバーの固定部がデッキ材の端部上面に固定されるので、デッキ材をその長手方向が壁面に対して直交する向きで配置した縦並びタイプのデッキにおいては、デッキ材が長手方向に熱収縮し、目地の隙間寸法が広がっても、目地カバーのデッキ材への固定状態を維持でき、目地カバーの目地からの脱落を防止できる。また、デッキ材が熱伸長した場合でも、目地カバーが目地内に挿入されている訳ではないうえ、壁面と接触する覆い片が軟質とされて変形し易いことから、デッキ材の熱伸長を阻害する心配がなく、熱伸長に伴う不具合が生じない。
【００１０】
なお、特許文献１の第２図には、デッキ材の端縁にカバー材を固定することが記載されている。このカバー材は、デッキ材の長手方向に沿った凹溝に嵌め込まれており、そのような凹溝は、縦並びタイプでのデッキ材に設けることが困難である。このため、特許文献１のカバー材は、横並びタイプのデッキにしか適用できず、汎用性に劣る。これに対して、本発明の目地カバーによれば、デッキ材の上面に固定され、固定用の凹溝が不要であるため、縦並びタイプおよび横並びタイプの両方のデッキに用いることができる。
【００１１】
また、本発明によれば、軟質の覆い片を壁面側に弾性変形させて屈曲させることにより、覆い片の先端側を壁面に接触させるとともに、その覆い片にて目地を覆うことができる。この際、覆い片には開閉部が一体に設けられており、この開閉部を固定部に係合することで、覆い片の屈曲状態が不用意に解除されるのを防止でき、目地を覆った状態を確実に維持できる。また、覆い片を屈曲させることで、固定部を覆い片によって隠すことができるとともに、固定部を固定するためのねじ等の固定手段をも一緒に隠すことができ、意匠性を良好にできる。
【００１２】
本発明の目地カバーでは、前記固定部および前記開閉部の一方には、他方に向けて開口した係合凹部が設けられ、前記固定部および前記開閉部の他方には、前記係合凹部内に挿入される係合片部が設けられ、前記固定部および前記開閉部は、前記係合凹部および前記係合片部により係脱自在に設けられることが好ましい。
本発明によれば、固定部および開閉部の係合は、係合凹部への係合片部の挿入によって行われるから、覆い片の屈曲動作に連動して係合片部を係合凹部に挿入することにより、固定部および開閉部の係合を簡単にできる。
【００１３】
本発明の目地カバーでは、前記開閉部の前記壁面から離間した側の端縁は、所定の曲げ半径を有して前記固定部側に折曲したコーナー部になっていることが好ましい。
ここで、「所定の曲げ半径」とは、開閉部の端縁を覆うこととなる覆い片に対して、開閉部の端縁にてエッジがたたない程度の大きさの曲げ半径をいう。
本発明によれば、開閉部の端縁がコーナー部になっているので、目地カバーが踏まれても、開閉部の端縁が覆い片に食い込むことがなく、覆い片に亀裂が生じるのを抑制できる。
【００１４】
本発明の目地カバーでは、前記固定部には、その長手方向に沿って金属製の補強部材が取り付けられることが好ましい。
デッキ材は、長さ寸法の設定が同じ場合であっても、製造時の寸法のばらつき等による個体差を有しており、デッキ材によって熱伸縮の度合が微妙に異なる。このため、長尺な目地カバーを複数のデッキ材に固定すると、各デッキ材が一様に熱伸縮しないことで、目地カバーが変形する可能性がある。
そこで、本発明では、目地カバーの固定部に金属製の補強部材を配置することとし、こうすることにより、固定部が変形しようとすることに対して補強部材にて対抗でき、目地カバーの変形を抑制できて、耐久性を向上させることができる。
【００１５】
本発明の目地カバーでは、前記補強部材は、前記固定部に取り付けられる平坦な取付部と、前記取付部の幅方向の両側から上向きに突設された一対の支持片とを備えた断面凹状であることが好ましい。
本発明によれば、目地カバーが踏まれた時の荷重が覆い片を通して一対の支持片で受けられるようになり、支持片が覆い片の裏当て材として機能するから、覆い片がつぶれるのを抑制でき、踏みつけた際の違和感を軽減できる。特に、覆い片にて固定部が覆われ、覆い片と固定部との間に開閉部が介在する形態では、この開閉部に対向させて支持片を突設することで、踏みつけ時に開閉部を支持片で支持でき、開閉部の変形を抑制してその損傷を防止できる。
【図面の簡単な説明】
【００１６】
【図１】本発明の一実施形態に係る目地カバーが用いられたデッキを示す平面図。
【図２】前記デッキを一部断面して示す側面図。
【図３】前記目地カバーの使用状態を示す断面図。
【図４】前記目地カバーの開閉動作を説明するための断面図。
【図５】前記目地カバーの取付手順を説明するための斜視図。
【図６】前記目地カバーの取付完了状態を示す斜視図。
【発明を実施するための形態】
【００１７】
以下、本発明の一実施形態を図面に基づいて説明する。
図１および図２に示すように、デッキ１０は平面矩形状とされ、室外において、矩形状での一方の短辺側端部１０Ａが建物の壁面１に近接している。より具体的にデッキ１０は、地上の所定位置にある束基礎上に立設される複数の束柱１１と、短辺方向に沿って立設された束柱１１の上部間に架け渡される複数の根太１２と、根太１２の上部間に架け渡される複数のデッキ材１３と、デッキ材１３の壁面１側を除いた三方を囲う複数の幕板１４と、幕板１４の下方位置にて、デッキ１０の四方を囲う根がらみ１５とを備えており、デッキ材１３の縦並びタイプとして構成されている。
【００１８】
束柱１１は、アルミ製の押出形材であり、矩形状のデッキ１０では、短辺方向に間隔を空けて２本、長辺方向に間隔を空けて７本の合計１４本が用いられている。このような束柱１１は、束基礎の上面にＬ字状の固定金具を介してボルト止めされている。
根太１２も、アルミ製の押出形材であり、本実施形態では７本用いられている。根太１２は、ねじ止めによって束柱１１の上部に固定されている。
【００１９】
デッキ材１３は、木粉を含有した合成樹脂製の押出形材であり、本実施形態では、長さ寸法Ｌ１を有する第１デッキ材１３Ａと、長さ寸法Ｌ１よりも短い長さ寸法Ｌ２（Ｌ２≒０．５×Ｌ１）を有する第２デッキ材１３Ｂの２種類が用いられている。長手方向に沿った各列において、２種類の第１、第２デッキ材１３Ａ、１３Ｂが１つずつ用いられ、連設されている。第１、第２デッキ材１３Ａ，１３Ｂは、壁面１に対する近接側と離間側とにおいて、種類が列毎に交互に入れ換えられており、互いの境界部分が隣の列同士で位置ずれするよう千鳥状に配置されている。
【００２０】
このようなデッキ材１３は、根太１２上をスライド自在な図示略の取付金具を介して当該根太１２にねじ止めされている。デッキ材１３の長手方向に沿った側面には、押出成形によって得られる溝部が形成されている。隣設するデッキ材１３同士では、互いの溝部が対向しており、前述の取付金具は、対向し合う溝部内に嵌め込まれた状態で、根太１２の上面にねじ止めされている。つまり、取付金具は、隣り合うデッキ材１３同士の連結にも用いられている。
なお、取付金具を用いたデッキ材１３の具体的な取付構造や取付手順については既知であるため、ここでのさらなる詳細な説明を省略する。
【００２１】
また、デッキ材１３には、長手方向の略中央において、上方からピン１６が打ち込まれており、このピン１６により、デッキ材１３の長手方向への位置ずれが抑制されている。デッキ材１３の熱伸縮は、縦並びタイプの本実施形態では、図１中に矢印で示すように、ピン１６を中心として、長手方向の両側で生じることになる。
【００２２】
ただし、連設された第１、第２デッキ材１３Ａ、１３Ｂにおいては、その境界部分での熱伸長が互いに抑制されるうえ、幕板１４と当接されている側の端部でも、熱伸長が抑制されることから、建物の壁面１側で大きく伸長する。そして、伸長の度合いは、より長い長さ寸法Ｌ１を有する第１デッキ材１３Ａの伸びが、第２デッキ材１３Ｂよりも著しい。熱収縮についても、第１デッキ材１３Ａの収縮が、第２デッキ材１３Ｂよりも著しい。
【００２３】
幕板１４は、デッキ材１３同様、木粉を含有した合成樹脂製の押出形材であり、根太１２の端部に図示略の支持金具を介して取り付けられている。
根がらみ１５は、アルミ製の押出形材であり、束柱１１の側面にねじ止めされている。
【００２４】
以上のデッキ１０の短辺側端部１０Ａと壁面１との間には、図３に拡大して示すように、所定の隙間寸法Ｃ１を有した目地２が形成されている。本実施形態では、この目地２を塞ぐ長尺な目地カバー２０がデッキ材１３の上面に取り付けられている。縦並びタイプのデッキの場合、目地には従来、目地カバーが上方から嵌め込まれていた。これに対して本実施形態では、目地カバー２０が目地２に嵌め込まれているのではなく、デッキ材１３の壁面１側の端部上面にねじ止めされている。以下には、そのような目地カバー２０について詳説する。
【００２５】
図３に示すように、目地カバー２０は、デッキ１０の短辺側において、デッキ材１３の壁面１側の端部上面に載置された固定部３０と、固定部３０に一体に設けられて目地２を覆う覆い片４０と、覆い片４０に一体で、かつ固定部３０に対して係脱自在に設けられた開閉部５０と、固定部３０上に配置された補強部材６０とを備えている。
【００２６】
固定部３０は、覆い片４０よりも硬質の合成樹脂製であり、例えば硬質ＰＶＣ、ＰＰ、ＰＥ、ＡＢＳ、ＡＡＳなどの合成樹脂から形成されてなり、デッキ材１３の上面に載置される平坦部３１を備えている。平坦部３１の幅方向の一方側の端縁、つまり壁面１から離間した側の端縁には（図３中の左側）、長手方向に沿って連続した立上部３２が突設されている。平坦部３１の幅方向の他方側の端縁、つまり壁面１に近接した端縁には（図３中の右側）、長手方向に沿って連続した断面凹状の係合凹部３３が設けられている。係合凹部３３は、一対の突片３４を有しているとともに、開閉部５０が位置する上方に向けて開口しており、それぞれの突片３４の上端には、開口部分を狭めるように爪部３５が設けられている。そして、立上部３２および係合凹部３３間において、平坦部３１の上面に補強部材６０が配置されている。
【００２７】
覆い片４０は、固定部３０よりも軟質の合成樹脂製の押出形材製であり、例えば軟質ＰＶＣ、ＴＰＥ（熱可塑性エラストマー）などの合成樹脂から形成されてなり、固定部３０の立上部３２の側面、開閉部５０の後述するコーナー部５２の外表面、および蓋部５１の外表面に対して一体に設けられている。覆い片４０において、互いに離間した位置にある固定部３０と開閉部５０との間は、屈曲自在に弾性変形する屈曲部４１になっている。また、覆い片４０の壁面１側は、目地２の上方を覆うように開閉部５０よりも壁面１側に延出している。この延出部分の幅寸法は、目地２の隙間寸法Ｃ１よりも十分に大きく、覆い片４０が屈曲部４１で屈曲された状態では、覆い片４０の先端側が上向きに弾性変形した状態で湾曲し、大きな面状部分で壁面１と接触する。このように、覆い片４０は、固定部３０および開閉部５０よりも容易に弾性変形可能であるとともに、その状態を維持できる程度に軟質な部材として形成されている。
【００２８】
開閉部５０も、覆い片４０よりも硬質の合成樹脂製であり、固定部３０と同様に、例えば硬質ＰＶＣ、ＰＰ、ＰＥ、ＡＢＳ、ＡＡＳなどの合成樹脂から形成されてなり、固定部３０の平坦部３１に対応した蓋部５１を備えている。蓋部５１の幅方向の一方側の端縁には、長手方向に沿って連続した大きな曲げ半径のコーナー部５２が下方に向けて垂設されている。蓋部５１の幅方向の他方側の端縁には、長手方向に沿って連続した係合片部５３が蓋部５１に対して下方に直角に折曲して垂設されている。係合片部５３の下端には、当該係合片部５３が係合凹部３３内に挿入された際に爪部３５と係合するよう膨らんだ脚部５４が設けられている。
【００２９】
これら固定部３０、覆い片４０、および開閉部５０は、２種類の異なる合成樹脂材料を同時に押出成形する二色成形法などにより、図４に示すように、固定部３０と開閉部５０との係合が解除された状態で一体に成形される。この結果、目地カバー２０では、軟質の覆い片４０の一部である屈曲部４１をＬ字形状に屈曲させることが可能となり、この屈曲により開閉部５０の脚部５４を固定部３０の爪部３５に係合させることで、固定部３０や、後述する補強部材６０およびねじ２１が覆い片４０によって隠れるとともに、覆い片４０によって目地２が覆われる。
【００３０】
一方、補強部材６０は、断面凹状のアルミ製の押出形材である。具体的に補強部材６０は、固定部３０の平坦部３１に取り付けられる平坦な取付部６１を備えており、取付部６１の幅方向の両側の端縁には、長手方向に沿って連続した支持片６２が上向きに突設されている。一対の支持片６２は、往来者の足底の長さよりも小さい間隔で幅方向に離間していることから、目地カバー２０がデッキ１０上に取り付けられた状態で踏みつけられた場合など、足底が両方の支持片６２間に跨るようになり、踏みつけ時の垂直な荷重がそれらの支持片６２で支持される。このため、目地カバー２０が踏みつけられても、開閉部５０が大きく変形することを抑制でき、開閉部５０の破損が防止される。また、補強部材６０は、固定部３０が固定されるデッキ材１３の伸縮度合いが異なっても、固定部３０がその伸縮度合いの違いに影響されて変形しないよう、固定部３０を補強している。このような補強部材６０は、その端部が固定部３０からはみ出さないよう、長さが固定部３０よりも短く設定されている。
【００３１】
以上の目地カバー２０は、複数のねじ２１によりデッキ材１３の上面に固定される。具体的には、目地カバー２０の固定部３０は、デッキ材１３の並設方向の両側に配置された第２デッキ材１３Ｂと、これらの第２デッキ材１３Ｂ間に配置された第１デッキ材１３Ａとに固定されている（図１参照）。すなわち、デッキ１０の両側部分では、固定部３０が第１、第２デッキ材１３Ａ，１３Ｂの両方に固定され、その他の箇所では、第１デッキ材１３Ａに固定されているのである。
【００３２】
以下には、図５、図６に基づき、目地カバー２０の取付手順について説明する。
図５において先ず、固定部３０と開閉部５０との係合を解除し、目地カバー２０を大きく開き状態にしておくとともに、固定部３０に補強部材６０をあてがっておき、目地カバー２０全体をデッキ１０の短辺側の辺縁に沿って配置する。この際の目安としては、固定部３０の係合凹部３３の外側の側面がデッキ材１３の端面と面一となるように、目地カバー２０を位置決めしておく。また、補強部材６０をその端部が固定部３０の端部からはみ出さないよう、固定部３０の内方に位置させる。
【００３３】
なお、補強部材６０の取付部６１には、固定先となる第１、第２デッキ材１３Ａ，１３Ｂの配置位置に合わせて、表裏を貫通する複数の丸孔６３を予め設けておく。そして、この丸孔６３にセルフタップ形状のねじ２１を挿通してねじ込み、補強部材６０と固定部３０とを共締めして第１、第２デッキ材１３Ａ，１３Ｂに固定する。
【００３４】
この後、図６に示すように、覆い片４０を屈曲部４１にて屈曲させ（図４中の１点鎖線をも参照）、この屈曲動作に連動して開閉部５０の脚部５４を固定部３０の係合凹部３３内に挿入し、爪部３５に係合させる。こうすることで、補強部材６０およびねじ２１を隠すとともに、覆い片４０の先端が上向きとなるように湾曲させて壁面１に接触させ、目地２を覆う。
【００３５】
以上の本実施形態によれば、以下の効果がある。
（１）すなわち、目地カバー２０では、固定部３０がデッキ材１３の端部上面に固定されているため、デッキ材１３が長手方向に熱収縮し、目地２の隙間寸法Ｃ１が広がっても、目地カバー２０のデッキ材１３への固定状態を維持でき、目地カバー２０の目地２からの脱落を防止できる。また、デッキ材１３が熱伸長した場合でも、目地カバー２０が目地２内に挿入されていないうえ、壁面１と接触する覆い片４０が軟質とされて容易に変形可能であるから、デッキ材１３の熱伸長を阻害する心配がなく、阻害されることに伴う不具合の発生を防止できる。  
【００３６】
（２）デッキ１０の両側部分を除いては、固定部３０が第１デッキ材１３Ａのみに固定されており、第１デッキ材１３Ａでの熱伸縮の度合が略同じであることから、熱伸縮の差異が固定部３０に及ぼす影響は僅かであり、長尺な目地カバー２０の変形を抑制できる。
【００３７】
（３）しかも、目地カバー２０の固定部３０には、金属製の補強部材６０が取り付けられているので、固定部３０が固定された多くの第１デッキ材１３Ａにおいて、個体差による熱伸縮の度合に差異があったとしても、固定部３０が変形しようとするのを補強部材６０で対抗でき、目地カバー２０の変形を抑制できる。
【００３８】
（４）また、特にデッキ１０の両側分部においては、固定部３０が第１、第２デッキ材１３Ａ，１３Ｂの両方に固定されているが、固定部３０が補強部材６０で補強されていることにより、第１、第２デッキ材１３Ａ，１３Ｂの熱伸縮の差異による固定部３０の変形にも良好に対抗でき、目地カバー２０の変形を抑制して耐久性を向上させることができる。
【００３９】
（５）目地カバー２０の軟質の覆い片４０には屈曲部４１が設けられ、この屈曲部４１を屈曲させることで、固定部３０、補強部材６０、およびねじ２５を隠すことができ、意匠性を良好にできる。
この際、覆い片４０には開閉部５０が一体に設けられており、この開閉部５０を固定部３０に係合することで、覆い片４０の屈曲状態が不用意に解除されるのを防止でき、目地２を覆った状態を確実に維持できる。
また、固定部３０および開閉部５０の係合は、係合凹部３３への係合片部５３の挿入によって行われるから、覆い片４０の屈曲動作に連動して係合片部５３を係合凹部３３に挿入でき、固定部３０および開閉部５０の係合を簡単にできる。
【００４０】
（６）補強部材６０は固定部３０より短いため、補強部材６０の端部が固定部３０の端部から突出しないようにでき、この点でも補強部材６０を確実に見えなくでき、意匠性をより向上させることができる。
【００４１】
（７）目地カバー２０がデッキ１０に取り付けられた状態では、軟質の覆い片４０が露出するようになるから、往来時に目地カバー２０を踏みつけた際の感触を良好にできる。
また、開閉部５０にはコーナー部５２が設けられているので、目地カバー２０を踏みつけても、開閉部５０の端縁によって覆い片４０の裏面に対してエッジが立つことはなく、覆い片４０に亀裂等が生じるのを防止できる。
【００４２】
（８）覆い片４０を屈曲させることで目地２を上方から覆うため、覆い片４０の先端を上方に向けた状態で湾曲させることができ、壁面１上を伝い落ちる雨水を、覆い片４０を介してデッキ１０上面に導くことができ、覆い片４０上で雨水が溜まるのを防止できる。
【００４３】
（９）目地カバー２０は二色成形により形成されているため、固定部３０、覆い片４０、および開閉部５０を一体で押出成形でき、製造を容易にできる。また、固定部３０、覆い片４０、および開閉部５０を別部材として扱う必要がないので、取り扱いを容易にでき、施工も容易である。
【００４４】
（１０）補強部材６０には一対の支持片６２が設けられているから、往来時に目地カバー２０を踏みつけても、上部側の開閉部５０を支持片６２で支持して変形しないようにでき、開閉部５０の破損等を防止できる。また、目地カバー２０を踏みつけても、支持片６２を有することで大きくつぶれないから、踏みつけた際の違和感を軽減できる。
【００４５】
なお、本発明は、以上の実施形態に限定されるものではなく、本発明の目的を達成できる範囲での変形等は、本発明に含まれる。
例えば、前記実施形態では、デッキ材１３として、長さ寸法Ｌ１，Ｌ２の異なる第１、第２デッキ材１３Ａ，１３Ｂが用いられていたが、同じ長さ寸法とされた１種類のデッキ材を用いてデッキを構成してもよい。
【００４６】
前記実施形態では、補強部材６０が設けられた例で説明したが、このような補強部材６０を省略した場合でも、本発明に含まれる。
また、補強部材を用いた場合でも、前記実施形態で説明したような支持片６２を設けるか否かは任意であり、その実施にあたって適宜に決められてよい。
【００４７】
前記実施形態では、覆い片４０が固定部３０での壁面１から離間した側の端縁に設けられていたが、本発明では、覆い片を固定部での壁面に近い側の端縁に一体に設けることで、固定部をデッキ材に固定しつつ、覆い片で目地を覆うように構成してもよい。このような場合には、固定用のねじを隠す目的で、長尺な部材を覆い片とは別体に設けて固定部に嵌め込んでもよい。また、固定部をデッキ材に接着等してもよく、こうすることで、ねじやこれを隠す部材を不要にできる。
【００４８】
前記実施形態では、本発明に係る固定側係合部として係合凹部３３が設けられ、開閉側係合部として係合片部５３が設けられていたが、固定側係合部として上方に突出した係合片部を設け、開閉側係合部として下向きに開口した係合凹部を設けてもよく、それらの具体的な形状は、実施にあたって任意に決められてよい。
【００４９】
前記実施形態では、目地カバー２０を地上のデッキ１０に適用した例で説明したが、本発明の目地カバーとしては、バルコニーを構成するデッキのデッキ材に固定されるものであってもよい。また、建物の壁面とは前記実施形態に限定されず、バルコニーを構成する壁の壁面や建物の周りを囲む壁の壁面なども本発明の概念に含まれる。
【００５０】
また、本発明の目地カバーは、前記実施形態のような縦並びタイプのデッキ１０の他、複数のデッキ材をその長手方向が壁面と平行になるように並設した横並びタイプのデッキにも適用できる。
【符号の説明】
【００５１】
１…壁面、２…目地、１０…デッキ、１３，１３Ａ，１３Ｂ…デッキ材、２０…目地カバー、３０…固定部、３３…係合凹部、４０…覆い片、５０…開閉部、５２…コーナー部、５３…係合片部、６０…補強部材、６２…支持片、Ｌ１，Ｌ２…長さ寸法。
【図１】
0005809994.tif 000002
【図２】
0005809994.tif 000003
【図３】
0005809994.tif 000004
【図４】
0005809994.tif 000005
【図５】
0005809994.tif 000006
【図６】
0005809994.tif 000007